(57)【特許請求の範囲】
【請求項１】
品目の特性についてのデータ及び／又は品目に対する影響についてのデータが測定される、少なくとも一つの品目の保存状態及び／又は輸送用荷物を監視するための方法であって、
少なくとも二つのセンサが、前記データを測定することができるように備えられ、
伝送ユニットは、前記少なくとも二つのセンサの前記データを受信するとともに、伝送ユニットから受信ユニットに伝送されるデータの選択について物流システムの論理ノードによって行われた決定を実行し、
制御ユニットは、所望のデータの選択についての情報を、前記伝送ユニットに送信し、
ユーザは、前記所望のデータの選択を行うことが可能であること、
を特徴とする少なくとも一つの品目の保存状態及び／又は輸送用荷物を監視するための方法。
【請求項２】
前記伝送ユニットは、ＲＦＩＤ応答装置であること、
を特徴とする、請求項１に記載の方法。
【請求項３】
前記伝送ユニットは、移動体通信規格に従って作動すること、
を特徴とする、請求項１又は２に記載の方法。
【請求項４】
前記ユーザは、ウェブページで前記所望のデータの選択を行うことが可能であること、
を特徴とする、請求項１乃至３のいずれか一項に記載の方法。
【請求項５】
見張り指示システムであって、
品目の少なくとも二つの物理的特性を監視することが可能であるとともに、品目の特性についてのデータ及び／又は品目に対する影響についてのデータが測定される、少なくとも二つの見張りセンサと、
前記見張りセンサに接続され、予め定義したデータ又は測定したデータを保存し、一つ又はそれ以上の所定の温度依存性保管期限データを含む記憶モジュールと、
前記見張りセンサからの時間及び温度依存性の前記測定データを受信するとともに、前記記憶モジュールからの前記温度依存性保管期限データに測定データを適用することによって、現況データとして現在の状態を決定するための決定モジュールと、
アンテナと一体の集積回路を含む応答装置であり、通信リンクを介して前記見張りセンサに接続され、伝送ユニットから受信ユニットに伝送されるデータの選択について物流システムの論理ノードによって行われた決定を実行する伝送ユニットと、
前記決定モジュールによって決定された状態に対応する現況データを、前記見張りセンサから測定データを受信するための前記物流システムの読み取りユニットに読み出しさせる、伝送ユニットとの通信インタフェースと、
電源と、該電源から前記センサ及び／又は前記応答装置への電力潮流を制御するための手段とを含むパワーマネージメントモジュールとを備える、
見張り指示システム。
【請求項６】
前記応答装置と通信用に一体の一つ又はそれ以上の追加の見張りセンサをさらに備え、同じ又は異なるリーダ、もしくは両方のリーダに、前記一つ又はそれ以上の追加の見張りセンサによって測定された前記測定データを読み出しさせる、請求項５に記載の見張り指示システム。
【請求項７】
監視モジュールは、前記測定データと一つ又はそれ以上の前記温度依存性保管期限データとを比較して、該比較結果の少なくとも一つが臨界値に達した時に警報を提供する、請求項５又は６に記載の見張り指示システム。
【請求項８】
前記記憶モジュールは、前記応答装置を制御するための応答装置部と、前記測定データを含む専用センサ部とを含む、請求項５乃至７のいずれか一項に記載の見張り指示システム。
【請求項９】
前記パワーマネージメントモジュールは、スリープ又は他の低電力状態から前記伝送ユニットを定期的に作動させて、前記測定データを収集する、請求項５乃至８のいずれか一項に記載の見張り指示システム。
【請求項１０】
出発点から受信点まで少なくとも一つの品目を有する荷物を輸送するための物流システムであって、請求項５乃至９のいずれか一項に記載の見張り指示システムを備え、
前記論理ノードは、前記見張り指示システムの少なくとも二つの前記見張りセンサに制御情報を送信可能であり、
前記物流システムは、前記見張りセンサからデータを受信するための少なくとも一つの読み取りユニットをさらに含むこと、
を特徴とする、物流システム。
【請求項１１】
前記制御情報は、応答装置によって伝送されること、
を特徴とする、請求項１０に記載の物流システム。
【請求項１２】
前記制御情報は、電気通信規格に従って伝送されること、
を特徴とする、請求項１０又は１１に記載の物流システム。
【発明の詳細な説明】
【技術分野】
【０００１】
本発明は、少なくとも一つの品目の保存及び／又は輸送用荷物を監視するための方法及びシステムに関する。
【背景技術】
【０００２】
荷物の輸送中に荷物の物理的特性を監視することが知られている。コンテナを確保及び監視するための方法、並びに確保及び監視用手段を有するコンテナが、公開番号  ＷＯ  ２００６／０７２２６８号の国際特許出願から知られている。
【発明の概要】
【発明が解決しようとする課題】
【０００３】
【課題を解決するための手段】
【０００４】
品目の輸送の保全が改良された方法を作成することが望ましい。
【０００５】
本方法を実行することが可能な見張り指示システムを作成することがさらに望ましい。
【０００６】
さらに、この見張り指示システムを備える物流システムを作成することが望ましい。
【０００７】
本発明によれば、この目的は、請求項１にかかる手順、請求項１０にかかる見張り指示システム及び請求項１９にかかる物流システムによって解決される。
【０００８】
本発明は、少なくとも一つの品目の保存及び／又は輸送用荷物を監視するための方法を含み、品目の特性についての及び／又は品目に対する影響についてのデータが測定される。
【０００９】
本方法は、少なくとも二つのセンサが、それらがそのデータを測定可能なように備えられて実行され、伝送ユニットがその少なくとも二つのセンサのデータを関連付ける。
【００１０】
本方法は、少なくとも二つのセンサが、それらがそのデータを測定可能なように備えられて実行され、伝送ユニットがその少なくとも二つのセンサのデータを受信するとともに、伝送されるべきデータの選択についての決定を行う。
【００１１】
異なるデータが応答装置から受信ユニットに伝送可能であれば、本方法は、例えば、柔軟な選択を可能にする。
【００１２】
この例として、例えば、各荷物の品目の位置データは伝送されるが、他の特性、例えば、品目の温度は伝送されないことが挙げられる。
【００１３】
これによって、異なる品質サービス／サービスレベルが可能となる。
【００１４】
本発明の好ましい実施形態によれば、本方法は、各見張り指示システムが、伝送ユニットが応答措置であるように構成されて実行される。
【００１５】
伝送ユニットが、移動体通信規格に従って作動することが、さらに有利である。
【００１６】
本発明のさらなる改良によれば、物流システムの論理ノードは、伝送ユニットから受信ユニットまで伝送されるデータの選択について決定する。
【００１７】
本方法の好ましい実施形態によれば、見張り指示システム及び物流システムには、センサの少なくとも一つがデータ伝送の変更を必要とするパラメータの影響を検出することが可能なように備えられる。
【００１８】
制御ユニットが、所望のデータ選択についての情報を、ユニット（応答装置）に送信することが、特に有利である。
【００１９】
有利な実施形態において、ユーザは、伝送されるべきデータのタイプを選択することが可能である。
【００２０】
ユーザがウェブページでこの選択を行うことができれば有利である。
【００２１】
本発明によって、物流システムの作動及び／又は見張り指示システムの作動におけるこの選択を実行することが可能となる。
【００２２】
ユーザの注文が、適切な方法、例えば、見張り指示システムと物流システムの論理ノードとの間の通信用の通信手段を用いて、見張り指示システムに伝送される。
【００２３】
センサは、品目、幾つかの品目、又はそれらを輸送する荷物のパラメータを制御し、それらのセンサによって測定されるデータが、幾つかの品目が有害な影響から保護されることができることを保証するために、見張りセンサと呼ばれる。
【００２４】
この見張り機能の機能性を改良するために、本発明は見張り指示システムを備え、該見張り指示システムは、
アンテナと一体の集積回路を含む送信ユニットと、
品目の少なくとも二つの物理的パラメータで監視する少なくとも二つの見張りセンサと、
見張りセンサからの時間及び温度依存性測定データを受信するとともに、記憶モジュールからの傾向データに測定データを適用することによって、現在の状態を決定するための決定モジュールと、
決定モジュールによって決定された状態に対応する現況データをリーダに読み出しさせる伝送ユニットとの通信インタフェースと、
パワー・マネージメント・モジュールとを備え、
集積回路は、警報及びセンサ状況データ、並びに受信ユニットとセンサとの間の通信を中継するためのプログラム命令とを含む。
【００２５】
本発明の実施形態は、ＲＦＩＤ応答装置と通信用に一体の一つ又はそれ以上の追加の見張りセンサをさらに備え、同じ又は異なるＲＦＩＤリーダ、もしくは両方に、一つ又はそれ以上の追加の見張りセンサによって測定された品目データを読み出しさせる。
【００２６】
本発明の実施形態によれば、センサの少なくとも一つは、予め定義した又は測定したデータを保存する記憶モジュールと接続されている。
【００２７】
一実施形態において、記憶モジュールは、ＲＦＩＤ応答装置を制御するためのＲＦＩＤ応答装置部と、センサデータを含む専用センサ部とをさらに備える。
【００２８】
本発明の実施形態によれば、ＲＦＩＤ応答装置部は、警報及びセンサ状況データ、並びにＲＦＩＤリーダとセンサとの間の通信を中継するためのプログラム命令を含む。
【００２９】
本発明の実施形態において、監視モジュールは、状況データと一つ又はそれ以上の所定の傾向とを比較して、品目に対するインパクトファクタが臨界値に達した時に警報を提供する。
【００３０】
インパクトファクタの例として、温度、圧力、湿度及び放射線が挙げられる。
【００３１】
本発明の実施形態によれば、見張り指示システムは、応答装置と通信用に一体の一つ又はそれ以上の追加の品目完全性センサをさらに備え、同じ又は異なるリーダ、もしくは両方に、一つ又はそれ以上の追加センサによって測定された品目データを読み出しさせる。
【００３２】
本発明の一実施形態において、記憶モジュールは、応答装置を制御するための応答装置部と、センサデータを含む専用センサ部とを備える。
【００３３】
本発明の実施形態によれば、応答装置部は、警報及びセンサ状況データ、並びにリーダとセンサとの間の通信を中継するためのプログラム命令を備える。
【００３４】
本発明の実施形態によれば、パワーマネージメントモジュールは、スリープ又は他の定電力状態から監視要素を定期的に作動させて、センサ測定値を収集する。
【００３５】
本発明は、出発点から受信点まで少なくとも一つの品目を含む荷物の輸送のための物流システムをさらに備え、該物流システムは、見張り指示システムの少なくとも二つのセンサに制御情報を送信可能な論理ノードを含むとともに、見張りセンサからデータを受信するための少なくとも一つの読み取り機構をさらに含むことを特徴とする。
【００３６】
物流システムの好ましい実施形態は、制御情報が応答装置によって伝送されることを特徴とする。
制御情報が電気通信規格に従って伝送されることがさらに有利である。
【００３７】
本発明は、物流システムの論理ノードが伝送ユニットから受信ユニットまで伝送されるデータの選択について決定することをさらに含む。
【発明を実施するための形態】
【００３８】
本発明は、多数の実施形態において実行されることができる。
【００３９】
一つ又はそれ以上の品目への影響の監視を可能にする見張り指示システムを実装することが特に有利である。
【００４０】
一つ又はそれ以上の品目は、適切な荷物１０内に詰められることが好ましい。荷物は、木材、プラススティック、金属又はそれらの組み合わせなどの多様な材質から構成されることができる。
【００４１】
さらに、保護塗装１００を実施することが可能である。
【００４２】
保護塗装を有するそのような荷物を図２に示す。本発明の特に有利な実施形態において、保護塗装１００は底部１１０を備える。
【００４３】
センサの測定データによって得られたインパクトファクタを算出するために、センサは計算手段４０に接続されている。計算手段は、特に測定データと所望の及び／又は許容されたデータとの比較から得られたインパクトファクタを算出するための算出手段を含むことが好ましい。さらに、計算手段４０は、有利な実施形態において、少なくとも一つの保存手段を含む。
【００４４】
少なくとも一つのパワーマネージメントモジュールを組み込むことがさらに有用である。パワーマネージメントモジュールは、有利な実施形態において、電源及び電源からセンサ及び／又は応答装置への電力潮流を制御するための手段を含む。
【００４５】
荷物、それぞれ荷物の中に含まれる品目／幾つかの品目の位置を決定するための少なくとも一つの位置決定手段５０を実装することが特に有利である。
【００４６】
位置決定手段５０を実装するための一つの適切な方法は、全地球的航法衛星システムによる受信機の使用である。
【００４７】
全地球的航法衛星システム（ＧＮＳＳ）は、地球範囲に、自律的地理空間位置調整を提供する衛星航法システムに対する標準的な総称である。ＧＮＳＳによって、小型電子受信機は、衛星からの無線電信による視線方向に伝送された時報を用いて、それらの位置（経度、緯度及び高度）を手前数メートルのところまで決定することが可能である。また、地上の定位置の受信機が、科学実験の参考として正確な時間を算出するために使用されることができる。
【００４８】
２００７年現在、米国ナブスター全地球位置把握システム（ＧＰＳ）が唯一の完全に作動するＧＮＳＳである。ロシアの全地球的航法衛星システム（ＧＬＯＮＡＳＳ）は、フル稼働に戻る過程でのＧＮＳＳである。欧州連合のガリレオ（Ｇａｌｉｌｅｏ）測位システムは、初期展開期における次世代ＧＮＳＳであり、２０１０年に稼動予定である。
【００４９】
あるいは、異なる方法を用いて機能する位置センサを使用することが可能である。例えば、応答装置と一つ又はそれ以上のリーダとの間の位置を決定することが可能である
【００５０】
ＲＦＩＤ規格、ＷＩＦＩ規格、あるいはブルートゥース、ＧＰＲＳ（ジェネラルパケットラジオサービス）、ＧＳＭ（グローバルシステムフォーモバイルコミュニケーション）又はＵＭＴＳ（ユニバーサルモバイルテレコミュニケーションシステム）などの移動体通信規格に従って作動するか、あるいは衛星通信を行うことが可能な少なくとも一つのモジュールを使用することができる。ブルートゥースモジュール、ＧＳＭモジュール、ＧＰＲＳ又はＵＭＴＳモジュールの使用は、それが位置の決定及び測定データの伝送を可能にするので、特に有利である。
【００５１】
応答装置の使用は、位置決定の利点とデータの伝送とを結合する。
【００５２】
一つ又はそれ以上の異なる位置決定手段を結合することが可能である。
【００５３】
荷物又は荷物を含むコンテナは、一つ又はそれ以上のセンサを含んでいてもよい。センサは、例えば、大気条件、温度、湿度、圧力又は衝撃を制御する。
【００５４】
荷物内に少なくとも一つの品目推論手段を実装することがさらに有利である。品目推論手段は、荷物内の品目を登録するために作動し、登録された品目についてのデータを、データ処理ユニットに伝送することが可能である。
【００５５】
品目推論ユニットの例として、荷物内に組み込まれたアンテナが挙げられる。この場合、品目内に個別受信機を実装することが特に有利である。
【００５６】
品目の登録によって、少なくとも荷物内に含まれる品目数を登録するとともに、この数をデータ処理ユニットに伝送することが有用である。
【００５７】
好ましい実施形態において、荷物は、データ処理ユニット４０に接続された通信モジュール８０を含む。
【００５８】
通信モジュール８０は、好ましい実施形態において、応答装置である。
【００５９】
この応答装置によって、データの連続伝送、あるいはイベントの発生時又は一定期間後のデータの伝送が可能となる。
【００６０】
例えば、応答装置がデータを伝送するように命令された場合のみデータを伝送するように、応答装置を作動させることが可能である。
【００６１】
図３は、幾つかの応答装置２１の同時監視を示す。これは、例えば、荷物の積み込み手順後に起こる。幾つかの品目２０用の検知装置によって、各応答装置２１からのデータの読み出しが可能である。これらの情報は、測定データ、並びに、例えば、幾つかの品目及び／又は荷物あるいは幾つかの荷物を識別するための識別情報を含むことができる。
【００６２】
さらに、通信モジュール８０によって、荷物への幾つかの品目の取り込みについての情報、又はその中に含まれる荷物又は幾つかの品目に対する影響についての情報を、受信機６１又は監視中枢６０に、伝送することが可能である。
【００６３】
通信モジュール８０が個別に備えられる場合、通信モジュール８０は、監視中枢６０に、又は受信手段６１にテキスト通知を送信することができる。この方法によって、荷物中の品目の正確な数及び正確な輸送／保存状態について、元の荷送人に知らせることが可能である。
【００６４】
品目製品の輸送影響を特に監視及び解析するためのＲＦ高性能ラベル及びセンサ、ソフトウェア並びにプロセスに関する好ましくかつ代替可能な実施形態について、以下に説明する。記載されたセンサ及びセンサは、製品が新鮮であるかどうかを消費者に知らせるとともに、品目が悪くなる前に警告する「生の」期限として作用する。
【００６５】
品目生産者によってすでに提供されるか理解されるように、センサは温度を監視し、タグ化製品用の輸送影響パラメータを含むデータ表を参照している間に渡って温度を統合する。
【００６６】
監視高性能モジュールは、高価値品目又は特別なケアが必要な品目を配送する際に使用するために設計された小型多目的装置である。
【００６７】
極めて小範囲で、好ましくは数センチメートル、例えば、その各方向まで１センチメートルから２０センチメートルの範囲で、以下の情報を任意に組み合わせたリアルタイムデータ転送を提供するために、品目内部に配置されるように設計されている。
品目温度データ
衝撃及び振動データ
光データ
音響／デシベルデータ
水分／湿度データ
品目内容不正開封警報
ＧＰＳ位置
環境圧データ
【００６８】
充電式又は非充電式バッテリのいずれかと共に使用するために設計されて、その装置は、データを通信及び渡すためにさまざまな方法を使用する。携帯電話、Ｗｉ−Ｆｉ、サテライト又はＲＦＩＤスキャンを用いて、内部センサから受信されたデータは、リアルタイムで又は要求に応じて伝送されることができる。装置が機内にある場合に作動されないことを保証するために、三つの重複する検出方法が、モジュールが機内にあるかどうか決定するために使用される。
【００６９】
１）第一の方法として、航空機によって放出された応答装置信号を検出する内部センサを用いた。４００ヤード（３６４メートル）までの範囲内で、センサを、信頼性のある応答装置検出を保証するために微調整することができた。応答装置信号を検出した時には、モジュールはデータを送信せず、信号が検出されなくなるまで待機するだろう。
【００７０】
２）第二の方法として、航空機の加圧状態を検出するために内部センサを用いた。加圧状態を検出した場合、モジュールは減圧が生じるまでデータを送信しないだろう。
【００７１】
３）航空機から放出される４００サイクルの音を検出した場合、モジュールはエンジンが停止するまでデータを送信しないだろう。
【００７２】
モジュールは、全ての機内センサから、温度、ＧＰＳ、振動などのデータを収集して、情報が望ましい通信方法によって安全に送信されることができるまで、情報をキャッシュする。一度情報が受信されると、その情報はサーバ上にアップデートされ、次に、データは様々な動的インタフェースを介して分配される。モジュール内部に含まれる小型可聴サイレンは、個々が多くの荷物を有する地域内に品目を素早く位置決めすることができるように、大きな甲高い音を放出するように手動で作動されることができる。モジュールは、荷送人及び／又は品目受取人に電子メール及びＳＭＳ警報を送信して、品目の位置及び温度などの環境条件を積極的に提供する。さらに、品目の環境が所定の許容範囲から外れると、品目上の可聴警報が始動されることができる、及び／又は荷送人及び／又は受取人が知らされることができる。
【００７３】
本発明は、荷物中に又は荷物に様々な個別センサを実装するための、及び特定の目的のためにこれらのセンサを一緒に使用するための、又は運送業用に使用するための、並びに顧客の個々の配送における使用のためのアイデアを実行する。
【００７４】
高価値及び高感度配送物を位置決めする能力が重要である。温度などの多数の環境条件を監視するための能力があれば、調合薬などの高感度配送物を監視することができるとともに、全体的な品目視認性を提供することができる。
【００７５】
検出データの入出力用のデジタル検出と無線周波数（ＲＦ）との組み合わせによって、製品の完全性（例えば、製品の品質が時間とともにどの程度維持されてきたか）を監視及び報告するセンサを含めて、新しい種類のセンサが可能となる。精密な、時間依存性保管期限及び品目製品の他の時間依存性センサ監視を伝達するためのＲＦ技術を用いるシステムを有することが望ましい。
【００７６】
見張り指示システムは、ＲＦＩＤ応答装置及び見張りセンサを含む発明に従って提供される。ＲＦＩＤ応答装置は、アンテナと一体のＲＦ集積回路を含む。センサは、品目の時間及び温度を監視する。決定モジュールは、品目完全性センサから時間及び温度依存性測定データを受信して、現在の状態を決定する。ＲＦＩＤ応答装置との通信インタフェースによって、ＲＦＩＤリーダが決定モジュールによって決定された状態に対応する現況データを読み出すことができる。
【００７７】
見張り指示システムは、パワーマネージメントモジュールをさらに含む。
【００７８】
本発明の一側面によれば、記憶モジュールは、一つ又はそれ以上の所定の温度依存性保管期限傾向を示すデータを含む。決定モジュールは、記憶モジュールからの傾向データに測定データを適用することによって、現在の状態を決定する。
【００７９】
他の側面によれば、一つ又はそれ以上の記憶媒体は、ＲＦＩＤ応答装置を制御するためのＲＦＩＤ応答装置プログラム部と、現況データを含む専用センサデータ部、又はそのデータを読み出すための特殊指令、あるいはそれらの組み合わせを含む。データは、センサを妨げることなく、ＲＦリーダによって直接アクセス可能である。
【００８０】
さらなる側面において、パワーマネージメントモジュールは、スリープ又は他の低電力状態から監視要素を定期的に作動させて、センサ測定値を収集する。
【００８１】
さらなる側面において、製品供給チェーンの複数セグメントに渡って指標を監視するためのシステムは、少なくとも第一の指示システムから第二の指示システムへの現況データの転送用に設定された複数の監視指示システムを含む。
【００８２】
他の側面によれば、現況データは、輸送影響損失分で時間を追跡する輸送影響ログを含む。さらなる側面において、保管ログは、品目製品の輸送影響についての複数の保管期間に関する情報を追跡する。
【００８３】
上述の機能を高めるために、応答装置がセンサからのデータを独立して関連付けることが特に有利である。
【００８４】
これによって、データ伝送用サービスの選択が可能となる。例えば、顧客が、一つ又はそれ以上の以下の測定データ、すなわち、品目の位置、衝撃の影響、温度の影響、大気の影響、又は品目に与えるそれらの影響、例えば、コンテナ内部での品目の温度を測定したい場合、顧客は選択することができる。
【００８５】
異なるデータが応答装置から受信ユニットへ伝送される場合、これによって、例えば、柔軟な選択が可能となる。
【００８６】
この例として、例えば、各荷物の品目の位置データは伝送されるが、他の特性、例えば、品目の温度は伝送されないことが挙げられる。
【００８７】
これによって、異なる品質サービス／サービスレベルが可能となる。
【００８８】
物流システムの論理ノードが、応答装置から受信ユニットへ伝送されるデータの選択について決定することが有利である。
【００８９】
ユニットが、所望のデータ選択についての情報を、応答装置に送信することが有利である。
【００９０】
ユーザは、伝送されるべきデータタイプの選択を行うことが可能である。
【００９１】
したがって、ユーザは、ウェブページでこの選択を行うことができる。
【００９２】
図４は、伝送ユニットＴと二つの見張りセンサＳとの間の組み合わせの概略図を示す。伝送ユニットＴ及び二つの見張りセンサＳは、通信リンクＣを介して接続されている。
【００９３】
当業者であれば、一つの伝送ユニットと二つの見張りセンサＳとの組み合わせが、一つ又はそれ以上の伝送ユニットと見張りセンサとの組み合わせの一例にすぎないことが理解される。
【００９４】
本発明は、見張りセンサと伝送ユニットとの種々の組み合わせを含む。
【００９５】
例えば、測定されるべきユニットの二次元又は三次元像を取得するために、例えば、測定される温度のグラフ表示を取得するために、同種のより多くのセンサを組み合わせることが可能である。
【００９６】
しかし、例えば、温度、湿度又は放射線の影響などの異なるデータの測定を許容するために、異なるセンサを実装することが特に有利である。
【００９７】
異なる伝送ユニットを実装することがさらに有利である。これによって、例えば、異なる作動条件での、例えば、ＵＨＦ、ＨＦなどの異なる作動周波数での作動が可能となる。
【００９８】
読み取り品質又は読み取り速度を向上させるために、同種のより多くの伝送ユニットを実装することがさらに有利である。データの読み取りが、迅速に及び／又は特に確実に行われなければならない場合、そのような実装は特に有利である。
【００９９】
そのような場合、例えば、ネットの形態で、応答装置にある一定の形状を与えることが有利である。
【０１００】
とりわけ、
一つの伝送ユニットを有する同種の幾つかの見張りセンサと、
一つの伝送ユニットＴを有する幾つかの異なる見張りセンサと、
同種の幾つかの見張りセンサを有する幾つかの伝送ユニットＴと、
幾つかの異なる見張りセンサを有する同種の幾つかの伝送ユニットと、
幾つかの異なる見張りセンサＳを有する幾つかの異なる伝送ユニットと、
同種の見張りセンサＳを有する幾つかの異なる伝送ユニットＴと、
から構成される。
【０１０１】
伝送ユニットと見張りセンサＳとの間の接続は、異なる方法で、例えば、無線又はあるコネクタを介して実行されることができる。本発明にかかる接続要素は、無線接続はもちろん、少なくとも一つの有線接続も含む。
【０１０２】
もちろん、一つ又はそれ以上の伝送ユニットＴと見張りセンサＳとを接続するために、あらゆる種類の形状を使用することが可能である。
【０１０３】
本発明の一実施形態において、接続ユニットＣはストライプとして形成されている。
【０１０４】
ストライプとして形成することは、見張り指示システムが荷物内に容易に実装されることができるという利点を有する。
【０１０５】
シップメント制御及び管理システム内に見張り指示システムを統合することは、もちろん有用である。
【０１０６】
例えば、荷物を保存するためのキャリア又は倉庫などの一定場所に到着することによって、一定時間後又はある一定イベントで、測定が実行されることが有利である。
【０１０７】
しかし、ある一定信号によって測定を実行するために、センサを刺激することも可能である。
【０１０８】
そのような信号は、制御ユニットによって放出されることができる。
【０１０９】
測定を実行するために及び／又は測定を刺激するために特に有利な場所は、顧客の倉庫、貨物ターミナル、トラック、飛行機、船舶、運送会社の倉庫及び目的地である。
【０１１０】
本発明によって、出発点から受け取り点までの荷物輸送用の物流システムが改良されることが可能である。
【０１１１】
物流システムは、それが、見張り指示システムの少なくとも二つのセンサに、制御情報を送信可能な論理ノードを含むとともに、それが、見張りセンサからデータを受信するための少なくとも一つの読み取りユニットをさらに含むように、備えられている。
【０１１２】
制御ユニットにデータを伝送するために、様々なユニットを使用することができる。応答装置などの、他の目的用にも使用可能な伝送ユニットを使用することが特に有利である。
【０１１３】
好ましい通信規格は、ＲＦＩＤ伝送規格、及び／又は、例えば、ブルートゥース、ＧＳＭ、ＧＰＲＳ、ＵＭＴＳなどの移動体通信規格、あるいは衛星通信規格に従っている。
【図面の簡単な説明】
【０１１４】
【図１】本発明にかかる荷物の好ましい実施形態の略図である。
【図２】保護塗装を有する荷物の好ましい実施形態である。
【図３】品目を登録するための手段を有する荷物の有利な実施形態である。
【図４】送信ユニットと二つのセンサとの組み合わせである。
【符号の説明】
【０１１５】
１０      荷物／コンテナ
２０      品目
２１      応答装置
３０      見張りセンサ
４０      計算手段
５０      決定手段
６０      監視中枢
６１      受信機、受信手段
７０      湿度制御
８０      通信モジュール
９０      検出装置
１００    保護塗装
１１０    荷物の底部
【図１】
0005777284.tif 000002
【図２】
0005777284.tif 000003
【図３】
0005777284.tif 000004
【図４】
0005777284.tif 000005